(57)【要約】      （修正有）【課題】グランドピアノの天盤の開閉は子供や非力の女性が行うには、手間がかかり、また非常に危険がつきまとうため電気式コントローラーの操作で自由に調整できる機能を持った装置と天盤開閉時にカバーを開口部に挟み込むのを防止する補助具付きにするシステムを提供する。【解決手段】パンダグラフ式可変可動（２）支柱（９）の先端部、天盤との接触部分に滑走ローラー（１）を利用、天盤裏面の接触部分には両面テープによる着脱可能なレール（３）をつけて接触部分がレールレールの上を稼働して開閉を行う、あるいはゴムローラーによりレール無しで行う。ピアノの天盤開口部側の開放辺（１０）に天盤の板厚を挟み込み固定された金具（４）に、垂直に取り付けられた支持棒（５）によりカバーを内側に懸垂しないように押さえ、挟み込みを防止するもの。【選択図】図１
2005106842.tif 000002
【特許請求の範囲】
【請求項１】
パンダグラフ式可変（２）可支柱（９）の先端部、天盤との接触部分に滑走ローラー（１）を利用、天蓋裏面接触部分には、両面テープによる着脱可能なレール（３）をつけて接触部分がレール上（３）を稼働して開閉をおこなうあるいはゴムローラーによりレール無しで行うもの。
【請求項２】
ピアノ天蓋開口部側の開口辺（１０）に天盤の厚板を挟み込み固定された金具（４）に、垂直に取り付けられた支持棒（５）によりカバーを内側に懸垂しないように押さえ、挟み込みを防止するもの。
【発明の詳細な説明】
【考案の詳細な説明】
【産業上の利用分野】
【０００１】本考案は、グランドピアノの外殻に設置しピアノの天蓋の開閉を電気式にし開口範囲をリモートコントローラー及び、有線式コントローラーの操作で自由に調整できる機能を持った装置と、天蓋開閉時にカバーを開口部に挟み込むことを防止する補助具に関する。
【背景技術】
【０００２】従来、グランドピアノの天蓋の開閉においては、使用者がカバーを畳み上げ、重量のある天蓋を、自身の手により開閉を行っていた。【０００３】そして、グランドピアノの天蓋を開放するに当たっては、ピアノ筐体内に設置されている片側支点支持による寸法違い支持支柱二本の選択と接触部の選択による開口部の上下動による開口範囲設定を使用者自信の労力で行っていた。
【考案が解決しようとする課題】
【０００４】しかし、このような開閉方法では、子供や非力の女性が行うに当たって、手間がかかり、また、非常に危険がつきまとう作業である。
【０００５】また、開口範囲の自由度という問題で、締め切っていては充分な音量や、鍵盤タッチの微妙な音色がわかりにくく、表現力が乏しい演奏者になり、また開けすぎると音量が大きく、個人宅での練習では、周囲の住宅環境に影響を催すようになる。このため、天蓋を開けず、不自由さがあるまま、練習せざるを得ない状況が非常に多い。
【０００６】本考案は、上記問題点を解決するために、使用環境や好みに応じて開口範囲を自由に選択でき、ピアノの発する音量を自由に調整できる機能を提供すること、並びに開閉時に、付属の補助具の効果でカバーの挟み込みを防止することを目的とする。
【課題を解決するための手段】
【０００７】上記目的を達成するためになされた請求項１に記載の考案は、パンタグラフ式可変可動支柱（図３）の先端部、天蓋との接触部分に滑走ローラー（１）を利用、天蓋裏面の接触部分には、両面テープによる着脱可能なレール（３）をつけるものとする。接触部分がレール上を稼働することにより、開閉を行うあるいはレール無しでゴムローラーを使用する。
【０００８】また、請求項２に記載の考案は、請求項１に記載のピアノ開口装置の補助具（図５）で、ピアノカバー自体の重量で、補助具取り付けをより強固になる構造としてあり閉動作に伴うカバーの挟み込みを防止する機能を持たしてある。
【作用および考案の効果】
【０００９】上記のように構成された請求項１に記載のピアノ天蓋開口装置においては、パンタグラフ式稼働支柱（図３）の停止位置によって、開口面積の設定が自由にでき、音量音質の調整が使用者の任意でできる。
【００１０】また、請求項２に記載のピアノカバーの挟み込み防止装置（図５）においては、ピアノ天蓋開口部側の開口辺（１０）に、天蓋の板厚を挟み込み固定された金具（４）に、垂直に取り付けられた支持棒（５）によりカバーを内側に懸垂しないよう押さえ、挟み込みを防止するものとする。
【実施例】
【００１１】以下に本考案の実施例を図面とともに説明する。図２は、本実施例の開閉機構の取り付け位置、並びに開閉状況の稼働図面である。【００１２】本実施例のグランドピアノは、図２に示すように使用者が手元のコントローラーを操作することによって上下に伸縮移動する支持棒の稼働装置と、カバーの挟み込み防止装置から構成されている。【００１３】グランドピアノの天蓋手前、譜面代部分開口部の蝶番に平行して、パンタグラフ式可動式支柱（図３）の先端部ローラー（１）を受けるレール（３）を設置する。既存の支持棒のすぐ前にパンタグラフ式可動式支柱を設置し天蓋重量の最安定支点（既存の支持点）を支持させる。【００１４】この、パンタグラフ式可動式支柱（図３）は、既存の支柱の役割を妨げることなく、且つ、支持支柱としての役割をも果たせるものとする。【００１５】これに付随した補助具は、ピアノ天蓋を傷つけることなく頑強に固定され、ピアノ天蓋開口時、ピアノカバーを懸垂し、天蓋開閉時に挟み込みなどの障害を起こさないよう、且つ、天蓋開口時、ピアノ演奏の障害にならないような構造体とする。【００１６】開口範囲を調整するには、専用のリモートコントローラーの操作で、上下動を可変させる。このコントローラーでの操作は、上、下の二系統の操作ができることとし、主電源は本体より出ている電源コードにつけるものとする。
【利用の上での改良可能部分】
【００１７】天蓋を開口させるためのパンタグラフ式可動式支柱先端部のローラー（１）をゴムローラーに変更することで、ガイドレール（３）が不要になる。
【００１８】天蓋を開口させるためのパンタグラフ式可動式支柱の可変動作を図２Ａのワイヤーウインチから、図２Ｂのねじ式、又は図２Ｃの油圧式にすることも可能である。
【００１９】ピアノ天蓋開閉に伴うカバーの挟み込み防止補助具（図５）に関し、ピアノ周囲において他の障害にならないよう配慮した形状であることとし、ピアノ開口時にピアノカバーの重量に耐え、且つ、取り付け部分が頑丈であること、取り付け取り外しが容易であること、ピアノ天蓋に傷等をつけない形状である（６）こととする。
【考案が解決しようとする課題】
【００２０】ピアノ天蓋開閉に伴うカバーの扱いは、使用者がその都度カバーを畳み上げ、その上で天蓋の開閉を行っていたが、手間がかかる上、カバーの滑り落ち等の問題もあり、多くの人は、結局天蓋を開けずに使用していたようだ。
【課題を解決するための手段】
【００２１】天蓋周囲より垂直にピアノ周囲に棒をおろす。これにより、カバーは開口部およびピアノ本体周囲に接触せずに懸垂する。補助具を使用することにより、カバーを畳むことなく天蓋の開閉ができ、手間と時間をかけずに開閉することができるようになる。また、ピアノの大きさの違いにより懸垂支持金具の取り付け数を多くすることによって、安定した開閉作業を行える物とする。
【００２２】天蓋開閉装置本体の駆動方式は▲１▼小型ウインチによるワイヤー式、▲２▼モーターのシャフトに切ったネジの回転によるスクリュー式、▲３▼油圧シリンダーの伸縮による油圧式を選択できる。
【図面の簡単な説明】
【図１】本考案の斜視図である
【図２】本考案の天盤開閉の装置本体の駆動方式の選択図である
【図３】本考案の上斜めから見た図である
【図４】本考案の天盤部分の下斜めから見た図である
【図５】本考案のカバー挟み込み防止補助具の拡大図である
【符号の説明】
１      ローラー２      モーター３      ローラー用ガイドレール４      ピアノカバー支持具５      支持棒６      受け金具フェルト７      スプリング８      受け金具９      支柱１０    ピアノ天盤開口辺
【図１】
2005106842.tif 000003
【図２】
2005106842.tif 000004
【図３】
2005106842.tif 000005
【図４】
2005106842.tif 000006
【図５】
2005106842.tif 000007